【手続補正書】
【提出日】平成17年9月27日(2005.9.27)
【手続補正１】
【補正対象書類名】明細書
【補正対象項目名】発明の名称
【補正方法】変更
【補正の内容】
【発明の名称】診断システム、診断方法及びプログラム
【手続補正２】
【補正対象書類名】明細書
【補正対象項目名】特許請求の範囲
【補正方法】変更
【補正の内容】
【特許請求の範囲】
【請求項１】  情報処理装置と通信可能な診断システムであって、
期間に対応させた画像形成装置の印刷枚数の情報を取得する取得手段と、
前記取得手段により取得された前記期間に対応させた印刷枚数の情報に基づき推奨画像形成装置の機種を決定する決定手段と、
前記決定手段により決定した推奨画像形成装置の機種を表示させる為の情報を、通信回線を介して、情報処理装置に通知する通知手段とを有することを特徴とする診断システム。
【請求項２】  前記決定手段は、前記期間に対応させた印刷枚数の情報に所定の機種の画像形成装置を対応付けた検索テーブルに基づき前記推奨画像形成装置の機種を決定することを特徴とする請求項１に記載の診断システム。
【請求項３】  前記取得手段は、画像形成装置の機種情報を取得し、前記決定手段は、前記機種情報と前記期間に対応させた印刷枚数の情報とより前記画像形成装置のオプションの情報を決定し、前記通知手段は前記決定されたオプションの情報を前記情報処理装置に通知することを特徴とする請求項１又は２に記載の診断システム。
【請求項４】  前記オプションは給紙オプション、或は、排紙オプションであることを特徴とする請求項３に記載の診断システム。
【請求項５】  前記決定手段は、前記期間に対応させた印刷枚数の情報に対して、所定期間での給紙回数を所定回数になるように、前記給紙オプションの情報を決定することを特徴とする請求項４に記載の診断システム。
【請求項６】  前記所定回数は、ユーザの指示に応じて入力された回数を示す情報に応じて設定されたものであることを特徴とする請求項５に記載の診断システム。
【請求項７】  前記決定手段により決定された機種の画像形成装置に対応する複数の種類、或は、複数の組合せのオプションの情報からオプションの情報を抽出する抽出手段を更に有し、
前記通知手段は前記抽出手段によって抽出されたオプションの情報を前記情報処理装置に通知することを特徴とする請求項１から６の何れかに記載の診断システム。
【請求項８】  前記情報処理装置は画像形成装置であることを特徴とする請求項１から７の何れかに記載の診断システム。
【請求項９】  情報処理装置と通信可能な診断システムであって、
前記情報処理装置においてユーザにより入力された期間に対応させた印刷枚数の情報を通信回線を介して取得する取得手段と、
前記取得手段により取得された前記期間に対応させた印刷枚数の情報に基づく機種の画像形成装置を決定する決定手段と、
前記決定手段により決定された機種の画像形成装置の情報を前記情報処理装置に通知する通知手段とを有することを特徴とする診断システム。
【請求項１０】  前記通知手段は、前記決定手段において決定された機種の画像形成装置に対するオプションの情報を前記情報処理装置に通知することを特徴とする請求項９に記載の診断システム。
【請求項１１】  前記オプションの情報は前記印刷枚数の情報に基づくものであることを特徴とする請求項１０に記載の診断システム。
【請求項１２】  診断システムであって、
ユーザの指示に応じて期間に対応させた印刷枚数の情報を入力する入力手段と、
前記入力手段により入力された前記期間に対応させた印刷枚数の情報を取得する取得手段と、
前記取得手段により取得された前記期間に対応させた印刷枚数の情報に基づく機種の画像形成装置を決定する決定手段と、
前記決定手段により決定された機種の画像形成装置の情報を情報処理装置に通知する通知手段とを有することを特徴とする診断システム。
【請求項１３】  情報処理装置と通信可能な診断システムにおける診断方法であって、
期間に対応させた画像形成装置の印刷枚数の情報を取得する取得ステップと、
前記取得ステップにおいて取得された前記期間に対応させた印刷枚数の情報に基づき推奨画像形成装置の機種を決定する決定ステップと、
前記決定ステップにおいて決定された推奨画像形成装置の機種を表示させる為の情報を、通信回線を介して、情報処理装置に通知する通知ステップとを有することを特徴とする診断方法。
【請求項１４】  前記決定ステップは、前記期間に対応させた印刷枚数の情報に所定の機種の画像形成装置を対応付けた検索テーブルに基づき前記推奨画像形成装置の機種を決定することを特徴とする請求項１３に記載の診断方法。
【請求項１５】  前記取得ステップは、画像形成装置の機種情報を取得し、前記決定ステップは、前記機種情報と前記期間に対応させた印刷枚数の情報とより前記画像形成装置のオプションの情報を決定し、前記通知ステップは前記決定されたオプションの情報を前記情報処理装置に通知することを特徴とする請求項１３又は１４に記載の診断方法。
【請求項１６】  前記オプションは給紙オプション、或は、排紙オプションであることを特徴とする請求項１５に記載の診断方法。
【請求項１７】  前記決定ステップは、前記期間に対応させた印刷枚数の情報に対して、所定期間での給紙回数を所定回数になるように、前記給紙オプションの情報を決定することを特徴とする請求項１６に記載の診断方法。
【請求項１８】  前記所定回数は、ユーザの指示に応じて入力された回数を示す情報に応じて設定されたものであることを特徴とする請求項１７に記載の診断方法。
【請求項１９】  前記決定ステップにおいて決定された機種の画像形成装置に対応する複数の種類、或は、複数の組合せのオプションの情報からオプションの情報を抽出する抽出ステップを更に有し、
前記通知ステップは前記抽出ステップによって抽出されたオプションの情報を前記情報処理装置に通知することを特徴とする請求項１３から１８の何れかに記載の診断方法。
【請求項２０】  前記情報処理装置は画像形成装置であることを特徴とする請求項１３から１９の何れかに記載の診断方法。
【請求項２１】  情報処理装置と通信可能な診断システムにおける診断方法であって、
前記情報処理装置においてユーザにより入力された期間に対応させた印刷枚数の情報を通信回線を介して取得する取得ステップと、
前記取得ステップにおいて取得された前記期間に対応させた印刷枚数の情報に基づく機種の画像形成装置を決定する決定ステップと、
前記決定ステップにおいて決定された機種の画像形成装置の情報を前記情報処理装置に通知する通知ステップとを有することを特徴とする診断方法。
【請求項２２】  前記通知ステップは、前記決定ステップにおいて決定された機種の画像形成装置に対するオプションの情報を前記情報処理装置に通知することを特徴とする請求項２１に記載の診断方法。
【請求項２３】  前記オプションの情報は前記印刷枚数の情報に基づくものであることを特徴とする請求項２２に記載の診断方法。
【請求項２４】  診断方法であって、
ユーザの指示に応じて期間に対応させた印刷枚数の情報を入力する入力ステップと、
前記入力ステップにおいて入力された前記期間に対応させた印刷枚数の情報を取得する取得ステップと、
前記取得ステップにおいて取得された前記期間に対応させた印刷枚数の情報に基づく機種の画像形成装置を決定する決定ステップと、
前記決定ステップにおいて決定された機種の画像形成装置の情報を情報処理装置に通知する通知ステップとを有することを特徴とする診断方法。
【請求項２５】  請求項１３から２４の何れかに記載の診断方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、ユーザに適切な画像形成装置や画像形成装置のオプション等の情報を提供する、診断システム、診断方法及びプログラムに関する。
【手続補正４】
【補正対象書類名】明細書
【補正対象項目名】０００８
【補正方法】変更
【補正の内容】
【０００８】
本発明は、上記課題に鑑みてなされたものであり、画像形成装置の情報を有効に活用し、ユーザに適切な製品を効率良く提示することができる仕組み提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明における診断システムは、情報処理装置と通信可能で、期間に対応させた画像形成装置の印刷枚数の情報を取得する取得手段と、前記取得手段により取得された前記期間に対応させた印刷枚数の情報に基づき推奨画像形成装置の機種を決定する決定手段と、前記決定手段により決定した推奨画像形成装置の機種を表示させる為の情報を、通信回線を介して、情報処理装置に通知する通知手段とを有することを特徴とする。
【手続補正６】
【補正対象書類名】明細書
【補正対象項目名】００１０
【補正方法】変更
【補正の内容】
【００１０】
或は、情報処理装置と通信可能な診断システムにおいて、前記情報処理装置においてユーザにより入力された期間に対応させた印刷枚数の情報を通信回線を介して取得する取得手段と、前記取得手段により取得された前記期間に対応させた印刷枚数の情報に基づく機種の画像形成装置を決定する決定手段と、前記決定手段により決定された機種の画像形成装置の情報を前記情報処理装置に通知する通知手段とを有することを特徴とする。
【手続補正７】
【補正対象書類名】明細書
【補正対象項目名】００１１
【補正方法】変更
【補正の内容】
【００１１】
或は、診断システムにおいて、ユーザの指示に応じて期間に対応させた印刷枚数の情報を入力する入力手段と、前記入力手段により入力された前記期間に対応させた印刷枚数の情報を取得する取得手段と、前記取得手段により取得された前記期間に対応させた印刷枚数の情報に基づく機種の画像形成装置を決定する決定手段と、前記決定手段により決定された機種の画像形成装置の情報を情報処理装置に通知する通知手段とを有することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】０１１８
【補正方法】変更
【補正の内容】
【０１１８】
【発明の効果】
以上説明したように、本発明によれば、印刷枚数の情報に基づく画像形成装置、或は、オプションが決定されので、ユーザは煩雑な作業を必要とすることなく、適切な画像形成装置、或は、オプション製品の情報を得ることができる。